(57)【要約】【課題】  液晶パネルを囲むトップケースのガイド開口部に設けたブラケットの位置変化によって外部機器締結用バーの位置を変化させて組み立てることができる液晶パネル用の位置可変式締結構造を提供する。【解決手段】  液晶パネルの周囲を囲むトップケース３０１と、トップケースの側面に側面長辺方向と同方向に形成された長方形のガイド開口部３０２と、ガイド開口部に沿って位置移動が可能なように前記トップケースに連結されるブラケット３０４と、ガイド開口部と対向する位置に配置され、ホール（ｈｏｌｅ）が形成された外部機器締結用バー３０５と、外部機器締結用バーのホールを貫通してブラケットと締結され前記外部機器締結用バーとトップケースとを締結する締結手段とを有する。【選択図】図３
2005222064.tif 000002
【特許請求の範囲】
【請求項１】
液晶パネルの周囲を囲むトップケースと、
前記トップケースの側面に側面長辺方向と同方向に形成された長方形のガイド開口部と、
前記ガイド開口部に沿って位置移動が可能なように前記トップケースに連結されるブラケットと、
前記ガイド開口部と対向する位置に配置され、ホール（ｈｏｌｅ）が形成された外部機器締結用バーと、
前記外部機器締結用バーのホールを貫通してブラケットと締結され前記外部機器締結用バーとトップケースとを締結する締結手段とを有することを特徴とする液晶パネル用の位置可変式締結構造。
【請求項２】
前記締結手段は、ネジであることを特徴とする請求項１に記載の液晶パネル用の位置可変式締結構造。
【請求項３】
前記ブラケットは本体と、
前記本体中央に形成された貫通ホールと、
前記本体の側面から突出して形成され貫通ホールを囲むネジ締結用タップと、
前記本体の一端から延長されて、前記トップケースの一角を囲む様な形態を有するフランジとを有することを特徴とする請求項１に記載の液晶パネル用の位置可変式締結構造。
【発明の詳細な説明】
【技術分野】
【０００１】
本発明は液晶パネル用の位置可変式締結構造に関し、特に、液晶パネルを囲むトップケースのガイド開口部に設けたブラケットの位置変化によって外部機器締結用バーの位置を変化させて組み立てる位置可変式締結構造に関する。
【背景技術】
【０００２】
液晶表示装置の液晶は、ＣＲＴとは異なり自ら光を発する素子ではないので、液晶画面の背面に画像を視覚的に表現するための光源が必要になる。このような液晶表示装置の光源としては現在蛍光ランプ（ＣＣＦＬ）を利用したバックライトユニットを利用している。バックライトユニットは光源である蛍光ランプから発生した光を導光板（ＬＧＰ）を通じて伝達して、液晶素子の直下面で液晶素子面に投射するようにしている。蛍光ランプの光を効率的に導光板に伝達するためにランプ反射体を使用するようにしており、蛍光ランプとランプ反射体は一体型にしてバックライトユニットに組み立てられるようになっている（例えば、特許文献１参照）。
【０００３】
図１は、従来の液晶パネル１０２と外部機器締結構造を持ったトップケースとの組み立て例を示した図面である。図２は、従来の液晶パネル１０２とトップケースとの組み立て形態を簡略的を示した部分断面図である。
バックライトユニットの上には液晶パネル１０２が位置するように配置され、さらに各部品の保護のために液晶パネル１０２の外周部に金属材質のトップケース１０４が組み立てられる。トップケース１０４の側面にガイド孔１０６を成形し、外部機器締結用バー１０８のホール（ｈｏｌｅ）１１０を貫通し、ガイド孔１０６を貫通するネジ１１２を利用してトップケース１０４と外部機器締結用バー１０８を組み立て締結する。
【０００４】
トップケース１０４に成形されるガイド孔１０６は、外部機器のホール、すなわち外部機器締結用バー１０８のホール１１０と一致しなければならないために、外部機器システムのホールが変更されればトップケース１０４のガイド孔１０６も変更しなければならない。このような理由でひとつの種類のトップケースに対し多様な外部機器システムを対応させることができなくなっており、新しいトップケースの開発が要求されているという問題があった。
【０００５】
【特許文献１】特開平１１−３０５６８４号公報
【発明の開示】
【発明が解決しようとする課題】
【０００６】
そこで、本発明は上記従来の液晶パネル用の位置可変式締結構造における問題点に鑑みてなされたものであって、本発明の目的は、液晶パネルを囲むトップケースのガイド開口部に設けたブラケットの位置変化によって外部機器締結用バーの位置を変化させて組み立てることができる液晶パネル用の位置可変式締結構造を提供することにある。
【課題を解決するための手段】
【０００７】
上記目的を達成するためになされた本発明による液晶パネル用の位置可変式締結構造は、液晶パネルの周囲を囲むトップケースと、前記トップケースの側面に側面長辺方向と同方向に形成された長方形のガイド開口部と、前記ガイド開口部に沿って位置移動が可能なように前記トップケースに連結されるブラケットと、前記ガイド開口部と対向する位置に配置され、ホール（ｈｏｌｅ）が形成された外部機器締結用バーと、前記外部機器締結用バーのホールを貫通してブラケットと締結され前記外部機器締結用バーとトップケースとを締結する締結手段とを有することを特徴とする。
【０００８】
前記締結手段は、ネジであることを特徴とする。
前記ブラケットは本体と、前記本体中央に形成された貫通ホールと、前記本体の側面から突出して形成され貫通ホールを囲むネジ締結用タップと、前記本体の一端から延長されて、前記トップケースの一角を囲む様な形態を有するフランジとを有することを特徴とする。
【発明の効果】
【０００９】
本発明による液晶パネル用の位置可変式締結構造によれば、外部機器のガイド孔の変更に能動的に対応可能な液晶パネルトップケースの組み立て構造を提供することで多様な外部機器に組み立て締結が可能になるという効果がある。
【発明を実施するための最良の形態】
【００１０】
次に、本発明に係る液晶パネル用の位置可変式締結構造を実施するための最良の形態の具体例を図面を参照しながら説明する。
【実施例】
【００１１】
図３は、本発明の実施例による液晶パネル用の位置可変式マウンティングブラケット構造を示した斜視図である。図４は、図３に示したトップケースの側面図である。図５は、図３に示した液晶パネルとトップケースと外部機器締結用バーとの組み立て形態を簡略的に示した部分断面図である。
【００１２】
本発明の実施例による液晶パネル用の位置可変式マウンティングブラケット構造は、トップケース３０１、ガイド開口部３０２、ブラケット３０４、外部機器締結用バー３０５と締結手段であるネジ３０６とを有している。
トップケース３０１は、液晶パネル３００の外周縁を囲んで外部の衝撃から液晶パネルを保護するようになっている。ガイド開口部３０２は、液晶パネル３００を囲むトップケース３０１の側面に、厚さ方向ではなくトップケース３０１の辺方向である側面長辺方向と同方向に長方形に開口して形成する。
【００１３】
ブラケット３０４は、ガイド開口部３０２に沿って位置移動が可能なようにトップケース３０１に連結される。
【００１４】
図６は、図３に示したネジ締結用ブラケットの拡大斜視図である。図７は、図６に示したネジ締結用ブラケットの上面図である。図８は図６に示したネジ締結用ブラケットの側面図である。図９は、図６に示したネジ締結用ブラケットの背面図である。
【００１５】
ブラケット３０４は、本体３０８、及び本体３０８中央に形成された貫通ホール３１１と、本体３０８の面から突出して形成されて貫通ホール３１１を囲むネジ締結用タップ３１０と、本体３０８の一端から延長されてトップケース３０１の一角を囲む様な形態を有するフランジ３１２を有する。
ネジ３０６は、トップケース３０１と外部機器締結用バー３０５とを締結する。
【００１６】
以下、本発明の実施例による位置可変式ブラケット構造による液晶パネルと外部機器との締結動作について説明する。
ネジ３０６は外部機器締結用バー３０５を貫通してブラケット３０４のネジ締結用タップ３１０の中央部分に形成された貫通ホール３１１に螺合、締結する。この場合、貫通ホール３１１、ネジ締結用タップ３１０の内径には雌ねじが切られている。結果的には、トップケース３０１と外部器具締結用バー３０５を締結することで、液晶パネル３００と外部器具締結用バー３０５に締結する外部機器とが締結されるようにする。
【００１７】
この時、ブラケット３０４はトップケース３０１に形成されたガイド開口部３０２に沿って左右に位置移動が可能である。この場合、ブラケット３０４に設けられたネジ締結用タップ３１０の外径をガイド開口部３０２の開口高さより小さくし、ガイド開口部３０２にネジ締結用タップ３１０をはめ込み、フランジ３１２をトップケース３０１の側面下部とかみ合わせてブラケット３０４が左右に位置移動が可能なようになっている。
【００１８】
以上、本発明の特定な望ましい実施例として説明したが、本発明は上述の実施例に限定されず、サイドマウンティング方式の液晶パネル以外にフロントマウンティング方式の液晶パネルにもブラケットの組み立て位置を変更して適用可能であり、さらに、本発明の技術的範囲から逸脱しない範囲内で多様に変更実施することが可能である。
【図面の簡単な説明】
【００１９】
【図１】従来の液晶パネルと外部機器締結構造を持ったトップケースとの組み立て例を示した図面である。
【図２】従来の液晶パネルとトップケースとの組み立て形態を簡略的を示した部分断面図である。
【図３】本発明の実施例による液晶パネル用の位置可変式締結構造を示した斜視図である。
【図４】図３に示したトップケースの側面図である。
【図５】図３に示した液晶パネルとトップケースと外部機器締結用バーとの組み立て形態を簡略的に示した部分断面図である。
【図６】図３に示したネジ締結用ブラケットの拡大斜視図である。
【図７】図６に示したネジ締結用ブラケットの上面図である。
【図８】図６に示したネジ締結用ブラケットの側面図である。
【図９】図６に示したネジ締結用ブラケットの背面図である。
【符号の説明】
【００２０】
３００        液晶パネル
３０１        トップケース
３０２        ガイド開口部
３０４        ブラケット
３０５        外部機器締結用バー
３０６        ネジ
３０８        本体
３１０        ネジ締結用タップ
３１１        貫通ホール
３１２        フランジ
【図１】
2005222064.tif 000003
【図２】
2005222064.tif 000004
【図３】
2005222064.tif 000005
【図４】
2005222064.tif 000006
【図５】
2005222064.tif 000007
【図６】
2005222064.tif 000008
【図７】
2005222064.tif 000009
【図８】
2005222064.tif 000010
【図９】
2005222064.tif 000011